(57)【要約】【課題】手持ち式のヘアードライヤーに、それが特定の動作状態にあることをわかりやすく表示する構造を備えさせる。【解決手段】ヘアードライヤー１Ａは、一端に吸込口１２、他端に吹出口１３を有する筒状の本体ケース１０を備える。本体ケース１０の外面には、自身の長手方向を本体ケース１０の筒の軸線方向に一致させる形で配置され、特定の動作に連動して内部に光が導入される照光板３０が設けられている。本体ケース１Ａは筒の軸線に沿って二つ割りにした形の１対の外殻１１を備え、この１対の外殻１１の合わせ目に照光板３０が配置される。吹出口１３にはそれを囲む口縁リング１８が設けられる。口縁リング１８は透光性物質で形成され、照光板３０に導入された光の少なくとも一部が照光板３０より口縁リング１８に導入される。【選択図】図２
2010137001.tif 000002
【特許請求の範囲】
【請求項１】
一端に吸込口、他端に吹出口を有する筒状の本体ケースを備え、
前記本体ケースの外面には、自身の長手方向を本体ケースの筒の軸線方向に一致させる形で配置され、特定の動作に連動して内部に光が導入される照光板が設けられていることを特徴とするヘアードライヤー。
【請求項２】
前記照光板は前記本体ケースの前記一端近傍から前記他端近傍にかけて存在することを特徴とする請求項１に記載のヘアードライヤー。
【請求項３】
前記本体ケースはそれを筒の軸線に沿って二つ割りにした形の１対の外殻を備え、前記１対の外殻の合わせ目に前記照光板が配置されることを特徴とする請求項１または２に記載のヘアードライヤー。
【請求項４】
前記本体ケースは多角形断面を備え、その多角形断面の角部に前記照光板が配置されることを特徴とする請求項１から３のいずれか１項に記載のヘアードライヤー。
【請求項５】
前記照光板は、前記本体ケース内部より発光素子で照らされるものであることを特徴とする請求項１から４のいずれか１項に記載のヘアードライヤー。
【請求項６】
前記本体ケースはマイナスイオン発生素子を内蔵しており、前記マイナスイオン発生素子の動作時、前記照光板に光が導入されることを特徴とする請求項１から５のいずれか１項に記載のヘアードライヤー。
【請求項７】
前記吹出口にはそれを囲む口縁リングが設けられ、前記口縁リングは透光性物質で形成され、前記照光板に導入された光の少なくとも一部が照光板より口縁リングに導入されることを特徴とする請求項１から６のいずれか１項に記載のヘアードライヤー。
【請求項８】
前記本体ケースに操作つまみが設けられ、前記照光板に導入された光の少なくとも一部が前記操作つまみのバックライトに用いられることを特徴とする請求項１から６のいずれか１項に記載のヘアードライヤー。
【発明の詳細な説明】
【技術分野】
【０００１】
本発明は手持ち式のヘアードライヤーに関する。
【背景技術】
【０００２】
手持ち式ヘアードライヤーは日常なじみの深い電気製品である。一般に良く見受けられるヘアードライヤーの形状としては、特許文献１の第１実施形態のようないわゆるピストルタイプと、特許文献１の第２実施形態のようなブラシ付きタイプがある。ヘアードライヤーの本体ケースは、一端に空気吸込口、他端に空気吹出口を有する筒状の形状とするのが通例である。ピストルタイプの場合は本体ケースからハンドル部が突き出すことになる。本体ケースは、それを筒の軸線に沿って二つ割りにした形の１対の合成樹脂製外殻を合わせて構成するのが一般的であり、その例を特許文献２に見ることができる。
【特許文献１】特開２００８−２２９１７６号公報
【特許文献２】実開昭５９−６１７０２号公報
【発明の開示】
【発明が解決しようとする課題】
【０００３】
本発明は、手持ち式のヘアードライヤーに、それが特定の動作状態にあることをわかりやすく表示する構造を備えさせることを目的とする。
【課題を解決するための手段】
【０００４】
本発明は、ヘアードライヤーが、一端に吸込口、他端に吹出口を有する筒状の本体ケースを備え、前記本体ケースの外面には、自身の長手方向を本体ケースの筒の軸線方向に一致させる形で配置され、特定の動作に連動して内部に光が導入される照光板が設けられていることを特徴としている。
【０００５】
この構成によると、ヘアードライヤーが特定の動作状態に入ったとき、自身の長手方向を本体ケースの筒の軸線方向に一致させる形で本体ケースの外面に配置された照光板が、内部に導入された光により光ってそれを表示するので、使用者はヘアードライヤーがその動作状態にあることを一目瞭然に知ることができる。
【０００６】
また本発明は、上記構成のヘアードライヤーにおいて、前記照光板は前記本体ケースの前記一端近傍から前記他端近傍にかけて存在することを特徴としている。
【０００７】
この構成によると、照光板は本体ケースの一端近傍から他端近傍という広い領域にわたって存在するので、照光による表示を明瞭に認識することができる。
【０００８】
また本発明は、上記構成のヘアードライヤーにおいて、前記本体ケースはそれを筒の軸線に沿って二つ割りにした形の１対の外殻を備え、前記１対の外殻の合わせ目に前記照光板が配置されることを特徴としている。
【０００９】
この構成によると、不透明な外殻の中に、透光性物質から成る照光板を無理なく配置することができる。
【００１０】
また本発明は、上記構成のヘアードライヤーにおいて、前記本体ケースは多角形断面を備え、その多角形断面の角部に前記照光板が配置されることを特徴としている。
【００１１】
この構成によると、照光板の存在が際だち、使用者の視線を一層引きつけることになる。
【００１２】
また本発明は、上記構成のヘアードライヤーにおいて、前記照光板は、前記本体ケース内部より発光素子で照らされるものであることを特徴としている。
【００１３】
この構成によると、発光素子を目立たせることなく照光板に光を導入することができる。
【００１４】
また本発明は、上記構成のヘアードライヤーにおいて、前記本体ケースはマイナスイオン発生素子を内蔵しており、前記マイナスイオン発生素子の動作時、前記照光板に光が導入されることを特徴としている。
【００１５】
この構成によると、目に見えないマイナスイオンの発生状況を可視化することができる。
【００１６】
また本発明は、上記構成のヘアードライヤーにおいて、前記吹出口にはそれを囲む口縁リングが設けられ、前記口縁リングは透光性物質で形成され、前記照光板に導入された光の少なくとも一部が照光板より口縁リングに導入されることを特徴としている。
【００１７】
この構成によると、特定の動作時、照光板に加えて口縁リングも光るから、使用者はヘアードライヤーの動作状況を一層明確に知ることができる。
【００１８】
また本発明は、上記構成のヘアードライヤーにおいて、前記本体ケースに操作つまみが設けられ、前記照光板に導入された光の少なくとも一部が前記操作つまみのバックライトに用いられることを特徴としている。
【００１９】
この構成によると、操作つまみの存在あるいは選択位置を使用者が明確に認識することができる。
【発明の効果】
【００２０】
本発明によると、ヘアードライヤーが特定の動作状態にあることを使用者が一目瞭然に知ることができる。
【発明を実施するための最良の形態】
【００２１】
以下、本発明の第１実施形態を図１から図５に基づき説明する。図１はヘアードライヤーの斜視図、図２はヘアードライヤーを本体ケースの筒の軸線に沿い切断して得た断面図、図３はヘアードライヤーの正面図、図４はヘアードライヤーの背面図、図５はヘアードライヤーの上面図である。
【００２２】
第１実施形態のヘアードライヤー１Ａはピストルタイプであり、筒状の本体ケース１０の下面後端からハンドル部２０が突き出す。ハンドル部２０は本体ケース１０に蝶番軸２１（図２参照）で連結され、本体ケース１０の下面にぴったりと沿う格納状態と、本体ケース１０から引き離した引き出し状態（すなわち図１から図４までの各図に示す状態）の二通りの状態を選択できるようになっている。
【００２３】
本体ケース１０は断面多角形である。実施形態１では多角形として五角形を選択し、その一辺を底辺とするとともに、底辺に向かい合う角を全体の頂点に置いている。本体ケース１０は頂点の角を含む垂直面で筒の軸線に沿って二つ割りにされ、二つ割りの各々が左右の外殻１１を構成している。本体ケース１０の組み立ては、左右の外殻１１の間に必要な構成要素を挟み込み、また外殻１１の内面に必要な構成要素を固定し、その上で左右の外殻１１を図示しないビスで固定するか、あるいは外殻１１同士をはめ込みで結合することにより行う。
【００２４】
本体ケース１０は、その一端（本実施形態の場合、背面側の端）に吸込口１２を有し、他端（本実施形態の場合、正面側の端）に吹出口１３を有している。吸込口１２は格子状の吸込グリル１２ａで覆われ、吹出口１３は格子状の吹出グリル１３ａで覆われる。吸込口１２と吹出口１３の間には、図２に見られる通り、吸込口１２の方から順に、プロペラファン１４、モータ１５、ヒータ１６が配置されている。モータ１５がプロペラファン１４を回転させると、吸込口１２から空気が吸い込まれ、吹出口１３から吐出される。ヒータ１６は吐出される空気を所定温度に加熱する。吹出グリル１３ａの内面にはマイナスイオン発生素子１７が取り付けられ、必要に応じ空気にマイナスイオンを混入させられるようになっている。
【００２５】
吹出口１３にはそれを囲む口縁リング１８が設けられる。口縁リング１８は本体ケース１０をそのまま延長した形であり、本体ケース１０と同じく五角形断面を備える。口縁リング１８の内面には、吹出口１３から吹き出される気流の幅を絞る上下１対の気流収束板１９が形成されている。口縁リング１８は、透光性物質、具体的には透明または半透明の合成樹脂で成型される。
【００２６】
ハンドル部２０は、本体ケース１０と同様、正面から見てその中央を縦に走る分割ラインにより二つ割りにされ、二つ割りの各々が左右の外殻２１を構成している。ハンドル部２０の正面側には、左右の外殻２１の合わせ目に上下２連のスライド式スイッチ２２、２３が設けられている。下方に位置するスイッチ２２はメインスイッチとなるものであり、その操作つまみ２２ａは「ＯＦＦ」−「ＣＯＯＬ」−「ＨＯＴ」と３段階の切り替え位置に移動する。操作つまみ２２ａは、不使用時には「ＯＦＦ」の位置に置かれる。上方に位置するスイッチ２３はサブスイッチとなるものであり、その操作つまみ２３ａは「ターボＯＦＦ」−「ターボＯＮ」と２段階の切り替え位置に移動する。操作つまみ２３ａは、通常は「ターボＯＦＦ」の位置に置かれる。
【００２７】
本体ケース１０の外面には、自身の長手方向を本体ケース１０の筒の軸線方向に一致させる形で配置された照光板３０が設けられる。照光板３０は吸込口１２側の一端近傍から吹出口１３側の一端近傍にかけて存在する。照光板３０は透明合成樹脂からなり、液晶表示パネルの導光板と同様、光を拡散する処理が施されていて、本体ケース１０の内部から発光素子（本実施形態ではＬＥＤ）３１で照らされると、本体ケース１０の外面に露出している部分全体が光って見えるものである。但し全体が均一に光る訳ではなく、明るく見えるのは発光素子３１の近傍であることは言うまでもない。
【００２８】
照光板３０と発光素子３１は左右の外殻１１の合わせ目、この場合は本体ケース１０の五角形断面の頂点の角に配置される。図２に見られるように、照光板３０の一端は口縁リング１８の端の部分に向き合う。これにより、照光板３０に導入された光の少なくとも一部が照光板３０より口縁リング１８に導入される。
【００２９】
第１実施形態のヘアードライヤー１Ａの動作は次の通りである。ハンドル部２０の端から延びる図示しないコードを電源に接続し、スイッチ２２の操作つまみ２２ａを「ＯＦＦ」の位置から「ＣＯＯＬ」の位置にスライドさせると、ヒータ１６には通電しないままで、モータ１５とマイナスイオン発生素子１７に通電され、マイナスイオン混じりの冷風が吹出口１３から吹き出す。発光素子３１にも通電され、発光素子３１は光を放つ。発光素子３１から出射した光は照光板３０に導入され、照光板３０を光らせる。本体ケース１０の筒の軸線に沿って長く延びる照光板３０が光るので、特に第１実施形態の場合、本体ケース１０の一端近傍から他端近傍までの広い領域が光るので、使用者はヘアードライヤー１Ａがマイナスイオン混じりの冷風を吹き出していることを一目瞭然に知ることができる。言い方を変えれば、目に見えないマイナスイオンの発生状況が可視化されるものである。
【００３０】
照光板３０に導入された光の一部は口縁リング１８に導入され、口縁リング１８を光らせる。これにより使用者は、ヘアードライヤー１Ａが動作状態にあることを一層明確に知ることができる。口縁リング１８は、特別な処理を施さなくても五角形断面の縁と気流収束板１９の縁が光って見える。それ以外に光らせたい箇所があれば、その箇所に液晶表示パネルの導光板と同様の光を拡散する処理を施しておけばよい。
【００３１】
操作つまみ２２ａを「ＣＯＯＬ」の位置から「ＨＯＴ」の位置にスライドさせると、ヒータ１６にも通電され、吹出口１３からマイナスイオン混じりの熱風が吹き出す。スイッチ２３の操作つまみ２３ａを「ターボＯＦＦ」の位置から「ターボＯＮ」の位置にスライドさせると、モータ１５とヒータ１６に流れる電流値が増大し、一層大風量で、大熱量の熱風が吹出口１３から吹き出すことになる。
【００３２】
操作つまみ２２ａが「ＨＯＴ」の位置に来ても、操作つまみ２３ａが「ターボＯＮ」の位置に来ても、発光素子３１は点灯を続け、マイナスイオン発生中であることを使用者に知らせる。照光板３０が使用者に明確な光の帯として認識されるよう、照光板３０の幅と発光素子３１の発光量を適切に設定する。実験を通じてそれらの値を定めるのが望ましい。また、発光素子３１を例えば青、黄、赤の３種類用意し、「ＣＯＯＬ」では青が点灯、「ＨＯＴ」では黄が点灯、「ターボＯＮ」では赤が点灯といった具合に、動作に応じて発光色を変えるようにしてもよい。
【００３３】
続いて本発明の第２実施形態を図６から図９に基づき説明する。図６はヘアードライヤーの斜視図、図７はヘアードライヤーの下面図、図８は図７の■−■線で切断して得たヘ
アードライヤーの断面図、図９はヘアードライヤーを本体ケースの筒の軸線に沿い切断して得た断面図である。
【００３４】
第２実施形態のヘアードライヤー１Ｂは、特許文献１で第２実施形態として提示されたものと同様のブラシ付きタイプである。その本体ケース４０にはハンドル部が設けられておらず、本体ケース４０を直接握って使用する。本体ケース４０は筒状で断面多角形であり、多角形として六角形が採用されている。本体ケース４０は六角形の向かい合う角を含む水平面で筒の軸線に沿って二つ割りにされ、二つ割りの各々が上下の外殻４１を構成している。本体ケース４０の組み立ては、上下の外殻４１の間に必要な構成要素を挟み込み、また外殻４１の内面に必要な構成要素を固定し、その上で上下の外殻４１を図示しないビスで固定するか、あるいは外殻４１同士をはめ込みで結合することにより行う。
【００３５】
本体ケース４０は、その一端（本実施形態の場合、背面側の端）に吸込口４２を有し、他端（本実施形態の場合、正面側の端）に吹出口４３を有している（図９参照）。吸込口４２は格子状の吸込グリル４２ａで覆われ、吹出口４３は格子状の吹出グリル４３ａで覆われる。吸込口４２と吹出口４３の間には、第１実施形態と同様、吸込口１２の方から順にプロペラファン、モータ、ヒータが配置されるのであるが、図示は省略してある。モータがプロペラファンを回転させると、吸込口４２から空気が吸い込まれ、吹出口４３から吐出される。ヒータは吐出される空気を所定温度に加熱する。ヒータと吹出口４３の間の位置には図示しないマイナスイオン発生素子が配置され、必要に応じ空気にマイナスイオンを混入させられるようになっている。
【００３６】
吹出口４３にはキャップ５０が被せられる。キャップ５０は円筒形をなし、円周のほぼ半周分が開口部となっており、ここにブラシ５１が取り付けられている。ブラシ５１は合成樹脂成型部品であって、多数の毛状突起５２が放射状に形成され、毛状突起５２の根元の間に多数の吹出穴５３が形成されている。
【００３７】
本体ケース４０の外面には、自身の長手方向を本体ケース４０の筒の軸線方向に一致させる形で配置された照光板６０が設けられる。照光板６０は吸込口４２側の一端近傍から吹出口４３側の一端近傍にかけて存在する。照光板６０は透明合成樹脂からなり、液晶表示パネルの導光板と同様、光を拡散する処理が施されていて、本体ケース４０の内部から発光素子（本実施形態ではＬＥＤ）６１で照らされると、本体ケース４０の外面に露出している部分全体が光って見えるものである。但し全体が均一に光る訳ではなく、明るく見えるのは発光素子６１の近傍であることは言うまでもない。
【００３８】
照光板６０と発光素子６１は上下の外殻４１の合わせ目、この場合は本体ケース４０を吹出口４３の方から見た場合、六角形断面の中で向かって右側に位置する角に配置される。
【００３９】
照光板６０は前方（吹出口４３の側を「前方」、吸込口４２の側を「後方」とする）の一部分が幅広になっており、ここに前後２連のスライド式スイッチ４４、４５が設けられる。スイッチ４４、４５が設けられる位置は、本体ケース４０を右手で握ったとき、右手の親指を届かせやすい位置である。スイッチ４４、４５の操作つまみ４４ａ、４５ａの背後に位置する照光板６０は、操作つまみ４４ａ、４５ａのバックライトを構成する。
【００４０】
後方に位置するスイッチ４４はヒータのスイッチとなるものであり、その操作つまみ４４ａは「ＨＯＴ」−「ＣＯＯＬ」と２段階の切り替え位置に移動する。前方に位置するスイッチ４５はモータのスイッチとなるものであり、その操作つまみ４５ａは「ＨＩＧＨ」−「ＬＯＷ」−「切」と３段階の切り替え位置に移動する。操作つまみ４５ａは、不使用時には「切」の位置に置かれる。
【００４１】
第２実施形態のヘアードライヤー１Ｂの動作は次の通りである。本体ケース４０の後端から延びる図示しないコードを電源に接続し、スイッチ４５の操作つまみ４５ａを「切」の位置から「ＬＯＷ」の位置にスライドさせると、モータとマイナスイオン発生素子に通電され、マイナスイオン混じりの風が吹出口４３からキャップ５０の内部に吹き出す。「ＬＯＷ」なので風量は少ない。この時、スイッチ４４の操作つまみ４４ａが「ＨＯＴ」の位置にあればヒータにも通電されて吹出口４３から熱風が吹き出し、「ＣＯＯＬ」の位置にあればヒータには通電されないで吹出口４３から冷風が吹き出すことになる。キャップ５０の内部に吹き出したマイナスイオン混じりの風はブラシ５１の吹出穴５３から頭皮に向かって吹き出す。発光素子６１にも通電され、発光素子６１は光を放つ。発光素子６１から出射した光は照光板６０に導入され、照光板６０を光らせる。本体ケース４０の筒の軸線に沿って長く延びる照光板６０が光るので、特に第２実施形態の場合、本体ケース４０の一端近傍から他端近傍までの広い領域が光るので、使用者はヘアードライヤー１Ｂがマイナスイオン混じりの風を吹き出していることを一目瞭然に知ることができる。言い方を変えれば、目に見えないマイナスイオンの発生状況が可視化されるものである。
【００４２】
スイッチ４５の操作つまみ４５ａを「ＬＯＷ」から「ＨＩＧＨ」置にスライドさせると、モータの回転数が上がり、吹出口４３から吹き出す風量が増える。
【００４３】
第１実施形態の口縁リング１８と同様、キャップ５０を透光性物質で形成しておき、照光板６０に導入された光の一部がキャップ５０に導入されてキャップ５０を光らせるようにしておいてもよい。そのようにすることにより使用者は、ヘアードライヤー１Ｂが動作状態にあることを一層明確に知ることができる。キャップ５０の中で特に光らせたい箇所があれば、その箇所に液晶表示パネルの導光板と同様の光を拡散する処理を施しておけばよい。
【００４４】
操作つまみ４５ａが「ＬＯＷ」か「ＨＩＧＨ」の位置に来ているかぎり、発光素子６１は点灯を続け、マイナスイオン発生中であることを使用者に知らせる。照光板６０が操作つまみ４４ａ、４５ａのバックライトとして用いられているので、使用者は操作つまみ４４ａ、４５ａの存在あるいは選択位置を明確に認識することができる。
【００４５】
照光板６０が使用者に明確な光の帯として認識されるよう、照光板６０の幅と発光素子６１の発光量を適切に設定する。実験を通じてそれらの値を定めるのが望ましい。また、発光素子６１を例えば青と赤の２種類用意し、「ＣＯＯＬ」では青が点灯、「ＨＯＴ」では赤が点灯といった具合に、動作に応じて発光色を変えるようにしてもよい。
【００４６】
以上、本発明の実施形態につき説明したが、本発明の範囲はこれに限定されるものではなく、発明の主旨を逸脱しない範囲で種々の変更を加えて実施することができる。
【産業上の利用可能性】
【００４７】
本発明は、手持ち式のヘアードライヤーに広く利用可能である。
【図面の簡単な説明】
【００４８】
【図１】第１実施形態に係るヘアードライヤーの斜視図
【図２】第１実施形態に係るヘアードライヤーを本体ケースの筒の軸線に沿い切断して得た断面図
【図３】第１実施形態に係るヘアードライヤーの正面図
【図４】第１実施形態に係るヘアードライヤーの背面図
【図５】第１実施形態に係るヘアードライヤーの上面図
【図６】第２実施形態に係るヘアードライヤーの斜視図
【図７】第２実施形態に係るヘアードライヤーの下面図
【図８】図７の■−■線で切断して得たヘアードライヤーの断面図
【図９】第２実施形態に係るヘアードライヤーを本体ケースの筒の軸線に沿い切断して得た断面図
【符号の説明】
【００４９】
１Ａ  ヘアードライヤー
１０  本体ケース
１１  外殻
１２  吸込口
１３  吹出口
１４  プロペラファン
１５  モータ
１６  ヒータ
１７  マイナスイオン発生素子
１８  口縁リング
２０  ハンドル部
２２、２３  スイッチ
２２ａ、２３ａ  操作つまみ
３０  照光板
３１  発光素子
１Ｂ  ヘアードライヤー
４０  本体ケース
４１  外殻
４２  吸込口
４３  吹出口
４４、４５  スイッチ
４４ａ、４５ａ  操作つまみ
５０  キャップ
５１  ブラシ
５２  毛状突起
５３  吹出穴
６０  照光板
６１  発光素子
【図１】
2010137001.tif 000003
【図２】
2010137001.tif 000004
【図３】
2010137001.tif 000005
【図４】
2010137001.tif 000006
【図５】
2010137001.tif 000007
【図６】
2010137001.tif 000008
【図７】
2010137001.tif 000009
【図８】
2010137001.tif 000010
【図９】
2010137001.tif 000011